(57)【要約】  【課題】  片面に接続端子を備えるカード形記録媒体を表裏の如何に拘らず差し込み装着することができ、対象機器への装備形態、また対象機器の使用形態の如何に拘らずカード形記録媒体の装着を容易に行わせることができるようにする。  【解決手段】  カード形記録媒体の差し込み口20を一側に開設してある下ハウジング2a及び上ハウジング2bの夫々との対向面に固定端子21，21…を配し、また下ハウジング2aと上ハウジング2bとの間に配したスライダ３の両側に、誤記録防止レバー４，４と保持レバー５，５とを夫々配して、差し込み口20から差し込み装着されるカード形記録媒体の片面に設けられた接続端子が、下ハウジング2a又は上ハウジング2bの固定端子21，21…に接続され、同じくカード形記録媒体の両側縁のいずれかとの当接下での誤記録防止レバー４，４と保持レバー５，５の動作により記録の可否の検出、及びカード形記録媒体の保持がなされるように構成する。【選択図】      図１
2006351243.tif 000002
【特許請求の範囲】
【請求項１】
カード形記録媒体の差し込み口を一側に開設してあるハウジングの内部に、前記カード形記録媒体の片面に設けられた接続端子と接触する固定端子と、前記カード形記録媒体の一側縁に設けられた保持用の凹部と係合する保持手段と、前記カード形記録媒体の他側縁に設けられた誤記録防止用のスイッチ片の検出手段とを備えるカード形記録媒体のコネクタにおいて、
前記固定端子は、前記カード形記録媒体の両面との対向面に夫々配してあり、前記保持手段及び検出手段は、前記カード形記録媒体の両側縁を臨む前記ハウジングの両側に夫々配してあることを特徴とするカード形記録媒体のコネクタ。
【請求項２】
前記差し込み口から差し込まれるカード形記録媒体を受容し、該カード形記録媒体と共に差し込みの方向にスライド移動するスライダを備え、前記保持手段及び検出手段は、前記スライダに取り付けてある請求項１記載のカード形記録媒体のコネクタ。
【請求項３】
前記保持手段は、前記スライダの移動に応じて揺動し、前記カード形記録媒体に設けられた前記凹部に係合して、該カード形記録媒体を前記スライダに移動不可に保持する保持レバーを備える請求項２記載のカード形記録媒体のコネクタ。
【請求項４】
前記検出手段は、前記カード形記録媒体に設けられた前記スイッチ片と当接して揺動する誤記録防止レバーと、前記スライダの移動に応じて前記誤記録防止レバーに当接する電極片とを備える請求項２又は請求項３記載のカード形記録媒体のコネクタ。
【発明の詳細な説明】
【技術分野】
【０００１】
本発明は、外部記録用のカード形記録媒体の接続のために、該カード形記録媒体を使用する機器に設けられるコネクタに関する。
【背景技術】
【０００２】
カード形に成形された樹脂製の外装ケースの内部に、周辺回路と共にメモリＩＣを収容してなるカード形記録媒体（以下メモリカードという）は、小型軽量であり、取り扱いが簡便であることから、ＳＤカード等の名称にて規格商品化され、パソコン、ディジタルカメラ、携帯電話機等の情報機器用の外部記録媒体として広く使用されている。
【０００３】
図10は、メモリカードの一例を示す外観斜視図である。図示の如くメモリカード１は、カード形に成形された外装ケース10の片面（裏面）に、長手方向一側の端縁（先端縁）に沿って並ぶ複数の接続端子11，11…を備えている。この並設域の一側の外装ケース10の角部には、適幅に亘って斜めに切り落とされ、先後判別のための切落とし部12が形成されている。
【０００４】
また外装ケース10の裏面には、表裏判別のための切欠き溝13，13が、幅方向の両側縁に沿って延設されており、更に外装ケース10の一方の側縁には、抜け止め保持用の凹部14が形成されている。また他方の側縁には、切欠き凹部15が形成されており、この切欠き凹部15には、長手方向への位置変更可能に誤記録防止用のスイッチ片16が保持され、新規の記録を可とする場合には、図示の如く切欠き凹部15の先端側半部にスイッチ片16を位置させる一方、新規の記録を不可とする場合には、図中に矢符により示す向きにスイッチ片16を移動させて切欠き凹部15の基端側半部に位置させるように構成されている。
【０００５】
このようなメモリカード１を装着すべく対象機器の側に設けられるコネクタは、外装ケース10の厚さ及び幅に対応するスリット状の差し込み口を正面に備え、この差し込み口に裏面を下として先端側から差し込まれるメモリカード１を受容する筐体として構成されている（例えば、特許文献１参照）。
【０００６】
このコネクタは、差し込み口から差し込まれるメモリカード１の先端部裏面に並設された接続端子11，11…と夫々接続される固定端子を内奥側の底面に備えており、これらの端子間の接続が生じない誤った差し込みを防止すべく、外装ケース10の先端側の角部に設けた切り落とし部12との相乗作用により先後を逆とした差し込みを規制する手段と、外装ケース10の裏面両側に設けた切欠き溝13，13と係合して表裏を逆とした差し込みを規制する手段とを備えている。
【０００７】
またコネクタは、正しく差し込まれたメモリカード１の凹部14に係合し、該メモリカード１の抜け出しを防止する手段を備え、更に、切欠き凹部15に保持されたスライダ16との当接の有無に応じて変位し、記録の可否を検出する手段を備えており、メモリカード１に対する記録情報の授受が、確実に誤りなく行われるように構成されている。
【特許文献１】特開２００１−２３６４６９号公報
【発明の開示】
【発明が解決しようとする課題】
【０００８】
このように従来のコネクタにおいては、接続端子11，11…が並設された裏面を下としたメモリカード１の差し込み装着のみを許容する構成となっているため、この種のコネクタを備える機器を使用する場合、メモリカード１を差し込み装着する際に、表裏を確認する必要があり使い勝手が悪いという問題がある。
【０００９】
また前記コネクタは、差し込み口を縦位置として機器に装備される場合があり、更に、前記コネクタを備える機器（例えば、液晶プロジェクタ）自体が天地を逆にして使用される場合があって、これらの場合には、メモリカード１の装着時における表裏の確認に手間を要し、更なる使い勝手の悪化を招来するという問題がある。
【００１０】
本発明は斯かる事情に鑑みてなされたものであり、片面に接続端子を備えるメモリカード等のカード形記録媒体を表裏の如何に拘らず差し込み装着することができ、対象機器への装備形態、また対象機器の使用形態の如何に拘らずカード形記録媒体の装着を容易に行わせることができ、使い勝手の向上を図り得るカード形記録媒体のコネクタを提供することを目的とする。
【課題を解決するための手段】
【００１１】
本発明に係るカード形記録媒体のコネクタは、カード形記録媒体の差し込み口を一側に開設してあるハウジングの内部に、前記カード形記録媒体の片面に設けられた接続端子と接触する固定端子と、前記カード形記録媒体の一側縁に設けられた保持用の凹部と係合する保持手段と、前記カード形記録媒体の他側縁に設けられた誤記録防止用のスイッチ片の検出手段とを備えるカード形記録媒体のコネクタにおいて、前記固定端子は、前記カード形記録媒体の両面との対向面に夫々配してあり、前記保持手段及び検出手段は、前記カード形記録媒体の両側縁を臨む前記ハウジングの両側に夫々配してあることを特徴とする。      
【００１２】
本発明においては、一側にカード形記録媒体の差し込み口が開設されたハウジングの天面及び底面に固定端子を設け、差し込み口から差し込まれるカード形記録媒体の片面に設けられた接続端子がいずれかの固定端子に接触するように構成すると共に、ハウジング内部の両側に保持手段及び検出手段を設けて、差し込み口から差し込まれるカード形記録媒体の一側縁に設けられた凹部に両側の保持手段のいずれかが係合し、同じく他側縁に設けられたスイッチ片を両側の検出手段のいずれかが検出できるように構成し、カード形記録媒体の差し込み装着を表裏の如何に拘らず実現する。
【００１３】
また本発明に係るカード形記録媒体のコネクタは、前記差し込み口から差し込まれるカード形記録媒体を受容し、該カード形記録媒体と共に差し込みの方向にスライド移動するスライダを備え、前記保持手段及び検出手段は、前記スライダに取り付けてあることを特徴とする。
【００１４】
本発明においては、差し込み口から差し込まれるカード形記録媒体を受容してスライド移動するスライダに、ハウジングの両側にて夫々の動作をなす保持手段及び検出手段を取り付け、これら夫々の動作をスライダのスライダ移動を利用して行わせる。
【００１５】
また本発明に係るカード形記録媒体のコネクタは、前記保持手段が、前記スライダの移動に応じて揺動し、前記カード形記録媒体に設けられた前記凹部に係合して、該カード形記録媒体を前記スライダに移動不可に保持する保持レバーを備えることを特徴とする。
【００１６】
本発明においては、スライダに取り付けられた保持レバーがカード形記録媒体と共に生じるスライダの移動に応じて揺動し、カード形記録媒体に設けられた凹部に係合して、スライダに対するカード形記録媒体の移動を拘束して保持する。
【００１７】
また本発明に係るカード形記録媒体のコネクタは、前記検出手段が、前記カード形記録媒体に設けられた前記スイッチ片と当接して揺動する誤記録防止レバーと、前記スライダの移動に応じて前記誤記録防止レバーに当接する電極片とを備えることを特徴とする。
【００１８】
本発明においては、スライダに設けられた誤記録防止レバーがカード形記録媒体の側縁に設けたスイッチ片との当接により揺動し、この揺動下にて生じるスライダの移動により電極片に当接して、スイッチ片の位置に応じて指定される記録の可否を検出する。
本発明においては、スライダに取り付けられた誤記録防止レバーがカード形記録媒体に設けられたスイッチ片と当接して揺動し、更にスライダの移動により電極片と当接して、スイッチ片の位置によって指定される記録の可否を検出し、誤って記録がなされることを防止する。
【発明の効果】
【００１９】
本発明に係るカード形記録媒体のコネクタにおいては、ハウジング内部の天面及び底面に固定端子を設け、またハウジング内部の両側に保持手段及び検出手段を設けたから、ハウジングの一側の差し込み口から差し込まれるカード形記録媒体の片面に設けた接続端子と固定端子との接続を表裏の如何に拘らず実現することができ、またこのカード形記録媒体を確実に保持し、更に記録の可否の検出を行わせることができ、表裏の如何に拘らずカード形記録媒体を差し込み装着することが可能となって、使い勝手の向上を図ることができる。
【００２０】
またカード形記録媒体の差し込みに応じてハウジング内にてスライド移動するスライダに保持手段及び検出手段を設けたから、カード形記録媒体の保持、及び記録の可否の検出を含めたカード形記録媒体の装着を、差し込み口への差し込み操作のみで簡易に実施することができ、使い勝手を更に高めることができる。
【００２１】
更に、カード形記録媒体を保持する保持手段及びカード形記録媒体への記録の可否を検出する検出手段を機械的な揺動により夫々の動作をなすレバーにより構成したから、簡素な構成にて目的を達成することが可能となる等、本発明は優れた効果を奏する。
【発明を実施するための最良の形態】
【００２２】
以下本発明をその実施の形態を示す図面に基づいて詳述する。図１は、本発明に係るカード形記録媒体のコネクタの構成を示す図であり、図１（ｂ）は正面図、図１（ａ）は図１（ｂ）のＩ−Ｉ線による平面断面図である。なお以下の説明に使用する上、下なる用語は、図１（ｂ）における上、下を示しており、絶対的な上、下を示すものではない。
【００２３】
図示のコネクタ２は、図10に示すメモリカード１を装着対象とするものであり、下ハウジング2a及び上ハウジング2bを厚さ方向に積層し、４隅に設けた固定ブラケット2c，2c…のねじ止めにより一体化して、両者の対向面間に前記メモリカード１の受容空間を確保してなる薄肉矩形の筐体として構成されており、その内部には、誤記録防止レバー４及び保持レバー５を備えるスライダ３が配してある。
【００２４】
図１（ａ）に示す如く、コネクタ２の正面には、メモリカード１の厚さ及び幅に対応するスリット状の差し込み口20が開設されており、この差し込み口20に連続する上ハウジング2a及び下ハウジング2bの対向面には、メモリカード１に前述の如く並設された接続端子11，11…の夫々に対応する固定端子21，21…が、細幅とされた先端側の一部を夫々との対向面上に露出させて並設されている。図１（ｂ）には、図中に現れる下ハウジング2aに設けられた固定端子21，21…の位置を実線により示し、上ハウジング2bに設けられた固定端子21，21…の位置を２点鎖線により示してある。
【００２５】
図２は、下ハウジング2aの構成を示す図であり、図２（ａ）は、上方からの平面図、図２（ｂ）は、図２（ａ）のII−II線による縦断面図である。図２（ａ）に示す如く、下ハウジング2aの上ハウジング2bとの対向面（上面）には、前記端子片21，21…が、下ハウジング2aの上面に露出する先端部を実線により、また上面下に埋設された基部を破線により夫々示してある。
【００２６】
また下ハウジング2aの上面には、差し込み口20の両側に内向きに張り出す適幅の止め縁22，22が設けてあり、これらの止め縁22，22には、ロックレバー23，23が取り付けられている。図２（ｂ）に示す如くロックレバー23は、コの字形に屈曲成形された棒体であり、止め縁22の上面に設けた支持孔に一側の端部を差し込み、この端部を枢軸として上ハウジング2bの上面と略平行をなす面内での揺動を自在として枢支されている。
【００２７】
更に下ハウジング2aの上面には、幅方向の一側に沿って適幅の凹所 24aが設けられている。この凹所 24aには、長手方向の略中央を横切る凸条 25aが架設され、該凸条 25aよりも差し込み口20の側の凹所 24aの半部は、図２（ｂ）に示す如く、同側に向けて深さを増して形成されている。
【００２８】
図３は、上ハウジング2bの構成を示す図であり、図３（ａ）は、上方からの平面図、図３（ｂ）は、図３（ａ）の III−III 線による縦断面図である。図３（ａ）に示す如く、上ハウジング2bの下ハウジング2aとの対向面（下面）には、前記端子片21，21…が並設されている。なお図３（ａ）は、上ハウジング2bの上方から見た図であるため、前記下面に並設された端子片21，21…は、全体を破線により示してある。
【００２９】
下ハウジング2aにおけると同様に、上ハウジング2bの下面にも、幅方向の一側に沿って適幅の凹所 24bが、長手方向の略中央を横切る凸条 25bを有し、この凸条 25bよりも差し込み口20の側の半部の深さを増して形成されている。なお上ハウジング2bの凹所 24bは、下ハウジング2aと組み合わせたとき、該下ハウジング2aの凹所 24aと幅方向の逆位置となるように設けてある。
【００３０】
更に上ハウジング2bの下面には、幅方向の両側近傍の相対向する位置に電極片26，26が固設されている。一方の電極片26は、上ハウジング2bに設けられた凹所 24bの外側に沿うように配置され、他方の電極片26は、上ハウジング2bと下ハウジング2aとが組み合わされたとき、該下ハウジング2aに設けられた凹所 24aの外側に沿うように配置されている。
【００３１】
図４は、コネクタ２の内部に配されるスライダ３の構成を示す図であり、図４（ａ）は上方からの平面図、図４（ｂ）は、図４のIV−IV線による矢視図である。図４（ａ）に示す如くスライダ３は、互いに平行をなす一対のスライド片30，30の一側端部を連結片31により連結し、コの字形の平面形状を有して構成された部材である。
【００３２】
スライド片30，30は、角形断面を有する柱体であり、夫々の他側端部には、段落ち形成された上面に、図示の形状を有するカム溝32，32が形成されている。またスライド片30，30の連結板31との連絡部の近傍には、適幅に亘って内向きに張り出す当て板33，33が設けられ、スライド片30，30の同側の端部には、コイルばねを用いてなる押しばね34，34が、夫々の伸縮方向をスライド片30，30の長手方向と略一致させて固設されている。
【００３３】
更にスライド片30，30の中途部には、夫々との対向面に適長に亘って凹所35，35が形成されている。これらの凹所35，35は、一方がスライド片30の内面及び上面に開口し、他方がスライド片30の内面及び下面に開口しており、これらの凹所35，35の形成位置には、夫々の内側開口部に沿って誤記録防止レバー４，４が取り付けられ、また夫々の上側又は下側開口部に沿って保持レバー５，５が取り付けられている。
【００３４】
誤記録防止レバー４，４は、夫々の凹所35，35の先端側のスライド片30，30の内面に一端を固定された板ばねである。凹所35，35の内側開口部に沿って延びる両レバー４，４の他端部には、スライド片30，30の内側に突出するように湾曲成形された係合部が設けてあり、誤記録防止レバー４，４は、夫々の係合部に外向きに加わる力の作用により撓み変形し、各別の凹所35，35内に受容されるように構成されている。
【００３５】
また保持レバー５，５は、夫々の凹所35，35の先端側のスライド片30，30の上面又は下面に一端を固定された板ばねである。図４（ｂ）には、一方のスライド片30の上面に固定された保持レバー５が示されており、スライド片30の上面から離れるように延設された保持レバー５の他端部には、凹所35の上側開口部に向けて屈曲成形された係合部が設けてあり、保持レバー５は、下向きに加わる力の作用により撓み変形し、前記係合部を凹所35内に侵入させるように構成されている。他方のスライド片30の下面に固定された保持レバー５は、上下を逆として同様に構成されている。
【００３６】
以上の如く構成されたスライダ３は、図１（ｂ）に示す如く、両側のスライド片30，30を下ハウジング2a内側縁に夫々沿わせ、押しばね34，34の他端を下ハウジング2aの内奥側端面に弾接させて、これらのばね力によりスライド片30，30の他端を差し込み口20の両側に設けた止め縁22，22に押し付けると共に、これらの止め縁22，22に前述の如く枢支されたロックレバー23，23の他端を、スライド片30，30の同側端部の上面に形成されたカム溝32，32の内奥側に係合させて下ハウジング2a内に位置決めされ、この後に一体化される上ハウジング2bとの間に挾持してコネクタ２の内部に組み付けられている。
【００３７】
図５は、図１（ａ）のＶ−Ｖ線による縦断面図であり、以上の組み付け時におけるスライダ３の一側上面の保持レバー５の状態が示されている。図示の如く前記保持レバー５の取り付け位置は、上ハウジング2bに設けた凹所 24bに整合し、凸条 25bの手前側の深底部内に受容されるように設定されている。他側下面の保持レバー５も同様に、下ハウジング2aに設けた凹所 24aの深底部に受容されるように設定されている。
【００３８】
また上ハウジング2bの下面に設けられた電極片26，26は. 図１（ｂ）に示す如く、スライダ３の両側に設けられた凹所35，35の内側に位置し、これらの凹所35，35の内側開口部に沿って取り付けられた誤記録防止レバー４，４の外側に対向せしめられる。
【００３９】
図６〜図９は、以上の如く構成された本発明に係るコネクタ２の動作説明図である。これらの図において（ａ）は、図10に示すメモリカード１の装着の各段階における平面図、（ｂ）は、夫々における保持レバー５の状態を示す縦断面図である。なおこれらの図においては、図面の煩雑化を防ぐために参照符号の一部を省略してある。
【００４０】
メモリカード１は、図６（ａ）に示すように、接続端子11，11…が並設された側を先として差し込み口20を経てコネクタ２内に差し込まれ、該コネクタ２の内部に組み付けられたスライダ３の両側のスライド片30，30の間を通過し、これらの夫々から内向きに張り出すように設けられた当て板33，33の一方に当接される。
【００４１】
このとき、メモリカード１の下面に露出する接続端子11，11…は、下ハウジング2aの上面に並ぶ固定端子21，21…の夫々と幅方向に整合するが、これらの固定端子21，21…の露出部には達しておらず、夫々の端子間に接続状態は生じていない。またこのとき、スライダ３両側に設けられた誤記録防止レバー４，４は、メモリカード１の側面との当接により外向きに押されて撓み、凹所35，35の内部に受容された状態となる。
【００４２】
なお、メモリカード１の差し込みによる誤記録防止レバー４，４の撓みは、一側（図６（ａ）の右側）においては、メモリカード１に設けられた保持用の凹部14よりも先端側との当接により常に生じるが、他側（図６（ａ）の左側）においては、図示の如く、切欠き凹部15に保持されたスイッチ片16が先端側の記録許可位置にある場合にのみ生じ、スイッチ片16が基端側の記録不可位置にある場合、同側の誤記録防止レバー４は、切欠き凹部15への嵌まり込みにより弾性復帰する。
【００４３】
一方このとき、スライダ３の一側上部に固定された保持レバー５は、前記メモリカード１から何らの作用も受けず、上ハウジング2bに設けた凹所 24bの内部に受容された組み付け時の姿勢を保っており、この保持レバー５の先端の係合部は、図６（ｂ）に示す如く、メモリカード１の同側に設けられた凹部14の上位置に対面した状態にある。また、スライダ３の他側下部に固定された保持レバー５は、メモリカード１の同側に設けられた切欠き凹部15に対し、これの下方から同様の位置関係を保っている。
【００４４】
図７は、図６に示す如く差し込まれたメモリカード１に、図中に白抜矢符にて示すように押し込み力を加えた状態を示している。このようにメモリカード１に加えられる押し込み力は、これの先端が当接する当て板33を介してスライダ３に作用し、該スライダ３は、左右の押しばね34，34のばね力に抗してコネクタ２の内奥側に向けてスライド移動せしめられる。
【００４５】
このスライド移動は、コネクタ２の差し込み口20の両側に取り付けられたロックレバー23，23が、スライダ３の左右のスライド片30，30に設けたカム溝32，32との係合下にてこれらの外側経路に沿って移動し、これらの経路の手前側端部に当接した図７（ａ）に示す位置にて規制される。このとき、スライダ３と共に押し込まれるメモリカード１の接続端子11，11…は、下ハウジング2aの上面に並ぶ固定端子21，21…の露出部の上位置に達し、幅方向に整合する各別の固定端子21，21…の夫々と弾接せしめられる。
【００４６】
またスライダ３の移動により、これに固定された誤記録防止レバー４，４及び保持レバー５，５もコネクタ２の内奥側に向けて移動し、誤記録防止レバー４，４は、図７（ａ）に示す如く、コネクタ２に固設された電極片26，26に夫々の凹所35，35の内部において接触する。この接触は、右側の誤記録防止レバー４については無条件に生じ、左側の記録防止レバー４については、記録許可位置にあるスイッチ片16との当接による撓みを条件として生じる。
【００４７】
従って、例えば、誤記録防止レバー４，４と夫々の電極片26，26とにより構成されるスイッチを直列に配してなる検出回路を構成し、この検出回路の導通の有無を検出することにより、誤記録防止レバー４，４と電極片26，26との接触の有無、即ち、スイッチ片16が記録許可位置にあるか否かを検出することができる。ここで、誤記録防止レバー４，４はスライダ３の左右両側に設けてあり、メモリカード１が表裏を逆としてコネクタ２に差し込まれた場合には、右側の誤記録防止レバー４と電極片26との接触の有無がスイッチ片16の位置に応じて変化するから、表裏を逆として差し込まれるメモリカード１に対しても記録許可又は記録不可の検出が可能となる。
【００４８】
一方、スライダ３の移動に応じて保持レバー５，５が移動した場合、スライダ３の一側上部に固定された保持レバー５は、図７（ｂ）に示す如く、凹所 24bの中央に横架された凸条 25bに乗り上げ、下向きに押圧されて弾性変位し、先端を屈曲してなる係合部が下位置に整合する凹部14に侵入して係合されることとなり、この係合によりメモリカード１は、抜き出し不可にスライダ３に保持される。またこのとき、スライダ３の他側下部に固定された保持レバー５も、同側の凹所 24aに横架された凸条 25aの作用により上向きに押圧され、上位置に整合する切欠き凹部15内に侵入する。この侵入は、スイッチ片16の位置の如何に拘らず、該スイッチ片16の前後において生じ、メモリカード１の押し込みによるスライダ３の移動が、保持レバー５の動作により阻害されることはない。
【００４９】
保持レバー５，５の以上の動作は、メモリカード１が表裏を逆としてコネクタ２に差し込まれた場合においても、左右を逆として同様に生じるから、コネクタ２に差し込まれたメモリカード１は、表裏の如何に拘らずスライダ３に抜き出し不可に保持される。
【００５０】
図８は、図７に示す如く押し込まれたメモリカード１の押し込み力を解除した状態を示している。この解除によりスライダ３は、左右の押しばね34，34のばね力によりて差し込み口20に向けてスライド移動するが、このとき前記ロックレバー23，23は、夫々のカム溝32，32との係合位置を、外側経路の端部に連続する短寸の折り返し経路に切換え、折り返し端のポケットに係合してスライダ３の更なる移動を規制する作用をなす。これにより、スライダ３及びこれに保持されたメモリカード１は、図７に示す位置から差し込み口20の側にやや戻された図８に示すセット位置に拘束される。なお、カム溝32，32に対するロックレバー23，23の係合位置の切換えは、両者の位置関係の適正な設定によりスライダ３の移動方向に応じて実現される公知の動作である。
【００５１】
このようなセット位置にあるとき、図８（ａ）に示す如く、接続端子11，11…と固定端子21，21…との接続状態は維持され、また図８（ｂ）に示す如く、保持レバー５と保持用の凹部14との係合は維持されるから、スライダ３に抜き出し不可に保持されたメモリカード１と、コネクタ２を備える機器との間での記録情報の授受を行わせることができる。また図８（ａ）に示す如く、誤記録防止レバー４，４と電極片26，26との接触状態も維持されるから、記録の可否の検出も確実になされる。
【００５２】
このようなメモリカード１の記録の可否の検出は、左右に設けられた誤記録防止レバー４，４の前述した動作により、またメモリカード１の保持は、上下に設けられた保持レバー５，５の前述した動作により、コネクタ２に差し込まれるメモリカード１の表裏の如何に拘らず実現される。またコネクタ２は、メモリカード１の一面に並ぶ接続端子11，11…と接触可能な固定端子21，21…を、下ハウジング2aの上面と上ハウジング2bの下面とに夫々備えているから、接続端子11，11…と固定端子21，21…との接続もメモリカード１の表裏の如何に拘らず実現される。
【００５３】
従って、本発明に係るコネクタ２においては、メモリカード１を表裏の如何に拘らずに差し込み装着し、該メモリカード１に対して記録情報の授受を行わせることができ、メモリカード１の装着に際し表裏を意識する必要がなく、特に、差し込み口20を縦位置とした装備形態、天地を逆とした機器の使用形態等、特殊な適用形態において使い勝手の大幅な向上を図ることができる。
【００５４】
以上の如く装着されたメモリカード１を取り出す場合、図９に示す如く、差し込み口20の外側に突出するメモリカード１の突出端部に白抜矢符にて示す向きの押し込み力を加える。これによりスライダ３は、左右の押しばね34，34のばね力に抗してコネクタ２の内奥側に移動するが、この移動に応じてロックレバー23，23の係合位置は、夫々のカム溝32，32の折り返し端から内側に連続する溝に移行し、両カム溝32，32の内側経路の端部に達する。この状態で押し込み力が解除された場合、スライダ３は、押しばね34，34のばね力の作用により、ロックレバー23，23が係合するカム溝32，32の内側経路の案内下にて差し込み口20に向けて移動し、該差し込み口20からメモリカード１が押し出される。なお、この間に生じるカム溝32，32に対するロックレバー23，23の係合位置の切換えも、両者の位置関係の設定により実現される公知の動作である。
【００５５】
またスライダ３の移動により左右の保持レバー５，５は、各別の凸条 25a,25bによる押圧の解除により、図６（ｂ）に示す位置に弾性復帰して、凹部14又は切欠き凹部15への係合が解除されるから、スライダ３の移動により押し出されるメモリカード１は、差し込み口20から抜き出すことができる。
【００５６】
なお以上の実施の形態においては、スライダ３の両側左右に誤記録防止レバー４，４を設け、またスライダ３の両側上下に保持レバー５，５を設けて、夫々の動作を行わせる構成について述べたが、誤記録防止レバー４，４を上下に設け、保持レバー５，５を左右に設けて同様の動作を行わせる構成とすることも可能である。
【図面の簡単な説明】
【００５７】
【図１】本発明に係るカード形記録媒体のコネクタの構成を示す図である。
【図２】下ハウジングの構成を示す図である。
【図３】上ハウジングの構成を示す図である。
【図４】コネクタの内部に配されるスライダの構成を示す図である。
【図５】図１（ａ）のＶ−Ｖ線による縦断面図である。
【図６】本発明に係るコネクタの動作説明図である。
【図７】本発明に係るコネクタの動作説明図である。
【図８】本発明に係るコネクタの動作説明図である。
【図９】本発明に係るコネクタの動作説明図である。
【図１０】メモリカードの一例を示す外観斜視図である。
【符号の説明】
【００５８】
１    メモリカード（カード形記録媒体）
２    コネクタ
2a    下ハウジング
2b    上ハウジング
３    スライダ
４    誤記録防止レバー
５    保持レバー
11    接続端子
14    係合凹部
16    スイッチ片
20    差し込み口
21    接続端子
26    電極片
【図１】
2006351243.tif 000003
【図２】
2006351243.tif 000004
【図３】
2006351243.tif 000005
【図４】
2006351243.tif 000006
【図５】
2006351243.tif 000007
【図６】
2006351243.tif 000008
【図７】
2006351243.tif 000009
【図８】
2006351243.tif 000010
【図９】
2006351243.tif 000011
【図１０】
2006351243.tif 000012